(57)【特許請求の範囲】
【請求項１】
ビーム測定方法であって、
端末は、ネットワーク装置から送信される測定設定情報であって、少なくとも１つのビームを測定する時に使用されるパラメータを指示するための測定設定情報を受信するステップと、
前記端末は、前記測定設定情報に基づき前記少なくとも１つのビームを測定し、測定結果を取得するステップと、
前記端末は、前記測定結果を前記ネットワーク装置に送信するステップと、を含み、
前記測定設定情報は、測定モードの情報、およびビームに対応する基準信号の情報を含み、前記測定モードの情報は、測定時間長の情報および／または測定周期の情報を含み、
前記少なくとも１つのビームは複数のビームであり、前記複数のビームは複数のセルに属し、前記複数のビーム中の各ビームは、前記複数のセルのうちの１つのセルに属し、前記複数のセルの各セルは、１つ又は複数のビームを含み、前記測定モードの情報は複数組の測定時間長の情報及び／又は複数組の測定周期の情報を含み、前記測定時間長と前記測定周期は前記ネットワーク装置によって、前記複数のセルのうちの各セルの一つ又は複数のビームの走査周期及び／又は一つ又は複数のビームの連続走査時間長に基づいて確定されることを特徴とする方法。
【請求項２】
前記端末は、前記ネットワーク装置から送信される確定結果であって、前記ネットワーク装置が前記測定結果に基づき確定したターゲットビーム、ターゲットビーム群及びターゲットセルのうちの少なくとも１種を含む確定結果を受信し、前記ターゲットビームは前記端末が滞在可能なビームであり、前記ターゲットビーム群は前記端末が滞在可能なビーム群であり、前記ターゲットセルは前記端末が滞在可能なセルであるステップをさらに含むことを特徴とする請求項１に記載の方法。
【請求項３】
前記少なくとも１つのビームは同一セルに属すること、又は、前記少なくとも１つのビームは複数のビームであり、前記複数のビームはそれぞれ複数のセルに属することを特徴とする請求項１又は２に記載の方法。
【請求項４】
前記測定設定情報は、さらに、ビームの識別子、ビームが属するビーム群の識別子、ビームに対応するセルの識別子、ビームに対応するアクセスポイントの識別子、ビームに対応する基地局の識別子、測定頻度、及びビームフォーミングのリソース割当パラメータの情報のうちの少なくとも１種を含むことを特徴とする請求項１〜３のいずれか一項に記載の方法。
【請求項５】
前記端末は、ビーム測定後に薦める測定モードの情報を前記ネットワーク装置に報告するステップと、
前記端末は、前記ネットワーク装置から送信される更新指示であって、更新後の測定モードの情報を使用してビーム測定を行うように前記端末に指示するための更新指示を受信するステップと、をさらに含むことを特徴とする請求項１〜４のいずれか一項に記載の方法。
【請求項６】
前記少なくとも１つのビームは１つ又は複数のセルに属し、前記測定時間長は前記１つ又は複数のセル中のすべてのビームを測定することに対応する時間長であり、前記測定時間長と前記測定周期は前記ネットワーク装置によって前記１つ又は複数のセル中の各ビームの走査周期及び／又は各ビームの連続走査時間長に基づいて確定され、又は
前記少なくとも１つのビームは１つ又は複数のセルに属し、前記測定時間長は前記１つ又は複数のセル中の１つのビームを測定することに対応する時間長であり、前記測定時間長と前記測定周期は前記ネットワーク装置によって前記１つ又は複数のセル中の各ビームの走査周期及び／又は各ビームの連続走査時間長に基づいて確定されることを特徴とする請求項４に記載の方法。
【請求項７】
前記測定結果は前記少なくとも１つのビーム中の各ビーム伝送信号の信号強度及び／又は信号品質を含み、又は
前記測定結果はビームが属するビーム群伝送信号の信号強度及び／又は信号品質を含み、又は
前記測定結果はビームに対応するセル伝送信号の信号強度及び／又は信号品質を含み、又は
前記測定結果は前記少なくとも１つのビームの信号強度及び／又は信号品質のソート結果を含むことを特徴とする請求項１〜６のいずれか一項に記載の方法。
【請求項８】
前記測定結果は一つのビーム又はビームが属するビーム群又はビームに対応するセルの中の伝送信号の信号強度及び／又は信号品質が最も良いビーム群の識別子又はセルの識別子を含み、又は
前記測定結果はビームが属するビーム群又はビームに対応するセルの中の伝送信号の平均信号強度及び／又は平均信号品質を含むことを特徴とする請求項１〜７のいずれか一項に記載の方法。
【請求項９】
端末であって、
ネットワーク装置から送信される測定設定情報であって、少なくとも１つのビームを測定する時に使用されるパラメータを指示するための測定設定情報を受信するように構成される受信モジュールと、
前記受信モジュールの受信した前記測定設定情報に基づき前記少なくとも１つのビームを測定し、測定結果を取得するように構成される処理モジュールと、
前記処理モジュールの取得した前記測定結果を前記ネットワーク装置に送信するように構成される送信モジュールと、を備え、
前記測定設定情報は、測定モードの情報、およびビームに対応する基準信号の情報を含み、前記測定モードの情報は、測定時間長の情報および／または測定周期の情報を含み、
前記少なくとも１つのビームは複数のビームであり、前記複数のビームは複数のセルに属し、前記複数のビーム中の各ビームは、前記複数のセルのうちの１つのセルに属し、前記複数のセルの各セルは、１つ又は複数のビームを含み、前記測定モードの情報は複数組の測定時間長の情報及び／又は複数組の測定周期の情報を含み、前記測定時間長と前記測定周期は前記ネットワーク装置によって、前記複数のセルのうちの各セルの一つ又は複数のビームの走査周期及び／又は一つ又は複数のビームの連続走査時間長に基づいて確定されることを特徴とする端末。
【請求項１０】
前記受信モジュールはさらに、
前記ネットワーク装置から送信される確定結果であって、前記ネットワーク装置が前記測定結果に基づき確定したターゲットビーム、ターゲットビーム群及びターゲットセルのうちの少なくとも１種を含む確定結果を受信するように構成され、前記ターゲットビームは前記端末が滞在可能なビームであり、前記ターゲットビーム群は前記端末が滞在可能なビーム群であり、前記ターゲットセルは前記端末が滞在可能なセルであることを特徴とする請求項９に記載の端末。
【請求項１１】
前記少なくとも１つのビームは同一セルに属すること、又は、前記少なくとも１つのビームは複数のビームであり、前記複数のビームはそれぞれ複数のセルに属することを特徴とする請求項９又は１０に記載の端末。
【請求項１２】
前記測定設定情報は、さらに、ビームの識別子、ビームが属するビーム群の識別子、ビームに対応するセルの識別子、ビームに対応するアクセスポイントの識別子、ビームに対応する基地局の識別子、測定頻度、及びビームフォーミングのリソース割当パラメータの情報のうちの少なくとも１種を含むことを特徴とする請求項９〜１１のいずれか一項に記載の端末。
【請求項１３】
前記送信モジュールはさらに、
前記端末がビーム測定後に薦める測定モードの情報を前記ネットワーク装置に報告するように構成され、
前記受信モジュールはさらに、
前記ネットワーク装置から送信される更新指示であって、更新後の測定モードの情報を使用してビーム測定を行うように前記端末に指示するための更新指示を受信するように構成されることを特徴とする請求項９〜１２のいずれか一項に記載の端末。
【請求項１４】
前記少なくとも１つのビームは１つ又は複数のセルに属し、前記測定時間長は前記１つ又は複数のセル中のすべてのビームを測定することに対応する時間長であり、前記測定時間長と前記測定周期は前記ネットワーク装置によって前記１つ又は複数のセル中の各ビームの走査周期及び／又は各ビームの連続走査時間長に基づいて確定され、又は
前記少なくとも１つのビームは１つ又は複数のセルに属し、前記測定時間長は前記１つ又は複数のセル中の１つのビームを測定することに対応する時間長であり、前記測定時間長と前記測定周期は前記ネットワーク装置によって前記１つ又は複数のセル中の各ビームの走査周期及び／又は各ビームの連続走査時間長に基づいて確定されることを特徴とする請求項１３に記載の端末。
【請求項１５】
前記測定結果は前記少なくとも１つのビーム中の各ビーム伝送信号の信号強度及び／又は信号品質を含み、又は
前記測定結果はビームが属するビーム群伝送信号の信号強度及び／又は信号品質を含み、又は
前記測定結果はビームに対応するセル伝送信号の信号強度及び／又は信号品質を含み、又は
前記測定結果は前記少なくとも１つのビームの信号強度及び／又は信号品質のソート結果を含むことを特徴とする請求項９〜１４のいずれか一項に記載の端末。
【請求項１６】
前記測定結果は一つのビーム又はビームが属するビーム群又はビームに対応するセルの中の伝送信号の信号強度及び／又は信号品質が最も良いビーム群の識別子又はセルの識別子を含み、又は
前記測定結果はビームが属するビーム群又はビームに対応するセルの中の伝送信号の平均信号強度及び／又は平均信号品質を含むことを特徴とする請求項９〜１５のいずれか一項に記載の端末。
【発明の詳細な説明】
【技術分野】
【０００１】
本願は通信分野に関し、特にビーム測定方法、端末及びネットワーク装置に関する。
【背景技術】
【０００２】
無線通信技術の継続的な発展に伴って、無線通信システムに求められるカバレッジ領域と伝送用の無線帯域幅の要件が徐々に高まり、無線通信システムはビームフォーミング技術によってネットワークのカバレッジ能力を確保できる。
【０００３】
ビームフォーミング技術はアンテナアレイに基づく信号前処理技術であり、アンテナアレイ中の各アレイ素子の加重係数を調整して指向性を持つビームを発生させることで、顕著なアレイゲインを得る。ビームフォーミング技術では、端末がセルにアクセスすると、該セルに属するネットワーク装置は端末に、該端末に適する伝送データ用のビームを割り当てる。
【０００４】
しかしながら、従来の技術では、接続状態にある端末が移動する時、セルの測定結果のみに基づき端末を設定するのは、設定時に考慮する要素が不十分である。
【発明の概要】
【発明が解決しようとする課題】
【０００５】
本願は、ビームに基づきより高精度の測定結果を得ることができ、端末のより効率的な設定に寄与するビーム測定方法、端末及びネットワーク装置を提供する。
【課題を解決するための手段】
【０００６】
第１態様によれば、ビーム測定方法を提供し、端末は、ネットワーク装置から送信される測定設定情報であって、少なくとも１つのビームを測定する時に使用されるパラメータを指示するための測定設定情報を受信するステップと、前記端末は、前記測定設定情報に基づき前記少なくとも１つのビームを測定し、測定結果を取得するステップと、前記端末は、前記測定結果を前記ネットワーク装置に送信するステップと、を含む。
【０００７】
第１態様に係るビーム測定方法によれば、端末はネットワーク装置から送信される測定設定情報を受信し、該測定設定情報に基づきビームを測定し、ビームに基づくより高精度の測定結果を取得し、ネットワーク装置が測定結果に基づき端末をより効率的に設定することに寄与する。
【０００８】
第１態様によれば、第１態様の可能な実施形態では、前記方法は、前記端末は、前記ネットワーク装置から送信される確定結果であって、前記ネットワーク装置が前記測定結果に基づき確定したターゲットビーム、ターゲットビーム群及びターゲットセルのうちの少なくとも１種を含む確定結果を受信し、前記ターゲットビームは前記端末が滞在可能なビームであり、前記ターゲットビーム群は前記端末が滞在可能なビーム群であり、前記ターゲットセルは前記端末が滞在可能なセルであるステップをさらに含む。
【０００９】
第１態様又は上記可能な実施形態のいずれかによれば、第１態様の可能な実施形態では、前記少なくとも１つのビームは同一セルに属する。本可能な実施形態では、ネットワーク側装置は同一セル中の少なくとも１つのビームの測定結果に基づき、該セル中の複数のビームから端末が滞在可能なターゲットビームを選択することで、端末とネットワーク側装置との間の通信品質を向上させる。
【００１０】
第１態様又は上記可能な実施形態のいずれかによれば、第１態様の可能な実施形態では、前記少なくとも１つのビームは複数のビームであり、前記複数のビームはそれぞれ複数のセルに属する。本可能な実施形態では、ネットワーク側装置は複数のセル中の少なくとも１つのビームの測定結果に基づき、該セル中の複数のビームから端末が滞在可能なターゲットビームを選択することで、端末とネットワーク側装置との間の通信品質を向上させる。
【００１１】
第１態様又は上記可能な実施形態のいずれかによれば、第１態様の可能な実施形態では、前記測定設定情報は、ビームの識別子、ビームが属するビーム群の識別子、ビームに対応するセルの識別子、ビームに対応するアクセスポイントの識別子、ビームに対応する基地局の識別子、測定頻度、測定周期、測定時間長、測定モード、ビームフォーミングのリソース割当パラメータ、及びビームに対応する基準信号の情報のうちの少なくとも１種を含む。
【００１２】
第１態様又は上記可能な実施形態のいずれかによれば、第１態様の可能な実施形態では、前記方法は、前記端末は、ビーム測定後に薦める測定モードの情報を前記ネットワーク装置に報告するステップと、前記端末は、前記ネットワーク装置から送信される更新指示であって、更新後の測定モードの情報を使用してビーム測定を行うように前記端末に指示するための更新指示を受信するステップと、をさらに含む。本可能な実施形態は、フィードバックメカニズムによってサービスのネットワーク装置に新たな測定モードの情報を薦め、ネットワーク装置がより最適化した測定モードの情報を端末に設定することで、端末がより最適化した測定モードの情報を用いて測定でき、測定効率を向上させる。
【００１３】
第１態様又は上記可能な実施形態のいずれかによれば、第１態様の可能な実施形態では、前記測定設定情報は測定モードの情報を含み、前記測定モードの情報は測定時間長の情報及び／又は測定周期の情報を含み、前記少なくとも１つのビームは１つ又は複数のセルに属し、前記測定時間長は前記１つ又は複数のセル中のすべてのビームを測定することに対応する時間長であり、前記測定時間長と前記測定周期は前記ネットワーク装置によって前記１つ又は複数のセル中の各ビームの走査周期及び／又は各ビームの連続走査時間長に基づいて確定され、又は、前記少なくとも１つのビームは１つ又は複数のセルに属し、前記測定時間長は前記１つ又は複数のセル中の１つのビームを測定することに対応する時間長であり、前記測定時間長と前記測定周期は前記ネットワーク装置によって前記１つ又は複数のセル中の各ビームの走査周期及び／又は各ビームの連続走査時間長に基づいて確定され、又は、前記少なくとも１つのビームは複数のビームであり、前記複数のビームはそれぞれ複数のセルに属し、前記測定モードの情報は複数組の測定時間長の情報及び／又は複数組の測定周期の情報を含み、前記測定時間長と前記測定周期は前記ネットワーク装置によって、前記複数のセルのうちの各セルの各ビームの走査周期及び／又は各ビームの連続走査時間長に基づいて確定される。
【００１４】
第１態様又は上記可能な実施形態のいずれかによれば、第１態様の可能な実施形態では、前記測定結果は前記少なくとも１つのビーム中の各ビーム伝送信号の信号強度及び／又は信号品質を含み、又は、前記測定結果はビームが属するビーム群伝送信号の信号強度及び／又は信号品質を含み、又は、前記測定結果はビームに対応するセル伝送信号の信号強度及び／又は信号品質を含み、又は、前記測定結果は前記少なくとも１つのビームの信号強度及び／又は信号品質のソート結果を含む。
【００１５】
第１態様又は上記可能な実施形態のいずれかによれば、第１態様の可能な実施形態では、前記測定結果はビームが属するビーム群又はビームに対応するセルの中の伝送信号の信号強度及び／又は信号品質が最も良いビーム群の識別子又はセルの識別子を含み、又は前記測定結果はビームが属するビーム群又はビームに対応するセルの中の伝送信号の平均信号強度及び／又は平均信号品質を含む。
【００１６】
第２態様によれば、ビーム測定方法を提供し、ネットワーク装置は、少なくとも１つのビームを測定する時に使用されるパラメータを指示するための測定設定情報を端末に送信するステップと、前記ネットワーク装置は、前記端末から送信される測定結果であって、前記測定設定情報に基づき前記少なくとも１つのビームを測定することで得られる測定結果を受信するステップと、を含む。
【００１７】
第２態様によれば、第２態様の可能な実施形態では、前記方法は、前記ネットワーク装置は、前記測定結果に基づき、ターゲットビーム、ターゲットビーム群及びターゲットセルのうちの少なくとも１種を確定し、前記ターゲットビームは前記端末が滞在可能なビームであり、前記ターゲットビーム群は前記端末が滞在可能なビーム群であり、前記ターゲットセルは前記端末が滞在可能なセルであるステップと、前記ネットワーク装置は、前記ターゲットビーム、前記ターゲットビーム群及び前記ターゲットセルのうちの少なくとも１種を含む確定結果を前記端末に送信するステップと、をさらに含む。
【００１８】
第２態様又は上記可能な実施形態のいずれかによれば、第２態様の可能な実施形態では、前記少なくとも１つのビームは同一セルに属する。
【００１９】
第２態様又は上記可能な実施形態のいずれかによれば、第２態様の可能な実施形態では、前記少なくとも１つのビームは複数のビームであり、前記複数のビームはそれぞれ複数のセルに属する。
【００２０】
第２態様又は上記可能な実施形態のいずれかによれば、第２態様の可能な実施形態では、前記測定設定情報は、ビームの識別子、ビームが属するビーム群の識別子、ビームに対応するセルの識別子、ビームに対応するアクセスポイントの識別子、ビームに対応する基地局の識別子、測定頻度、測定周期、測定時間長、測定モード、ビームフォーミングのリソース割当パラメータ、及びビームに対応する基準信号の情報のうちの少なくとも１種を含む。
【００２１】
第２態様又は上記可能な実施形態のいずれかによれば、第２態様の可能な実施形態では、前記方法は、前記ネットワーク装置は、前記端末が報告した前記端末がビーム測定後に薦める測定モードの情報を受信するステップと、前記ネットワーク装置は、更新後の測定モードの情報を使用してビーム測定を行うように前記端末に指示するための更新指示を前記端末に送信するステップと、をさらに含む。
【００２２】
第２態様又は上記可能な実施形態のいずれかによれば、第２態様の可能な実施形態では、前記測定設定情報は測定モードの情報を含み、前記測定モードの情報は測定時間長の情報及び／又は測定周期の情報を含み、前記少なくとも１つのビームは１つ又は複数のセルに属し、前記測定時間長は前記１つ又は複数のセル中のすべてのビームを測定することに対応する時間長であり、前記測定時間長と前記測定周期は前記ネットワーク装置によって前記１つ又は複数のセル中の各ビームの走査周期及び／又は各ビームの連続走査時間長に基づいて確定され、又は、前記少なくとも１つのビームは１つ又は複数のセルに属し、前記測定時間長は前記１つ又は複数のセル中の１つのビームを測定することに対応する時間長であり、前記測定時間長と前記測定周期は前記ネットワーク装置によって前記１つ又は複数のセル中の各ビームの走査周期及び／又は各ビームの連続走査時間長に基づいて確定され、又は、前記少なくとも１つのビームは複数のビームであり、前記複数のビームはそれぞれ複数のセルに属し、前記測定モードの情報は複数組の測定時間長の情報及び／又は複数組の測定周期の情報を含み、前記測定時間長と前記測定周期は前記ネットワーク装置によって、前記複数のセルのうちの各セルの各ビームの走査周期及び／又は各ビームの連続走査時間長に基づいて確定される。
【００２３】
第２態様又は上記可能な実施形態のいずれかによれば、第２態様の可能な実施形態では、前記測定結果は前記少なくとも１つのビーム中の各ビーム伝送信号の信号強度及び／又は信号品質を含み、又は、前記測定結果はビームが属するビーム群伝送信号の信号強度及び／又は信号品質を含み、又は、前記測定結果はビームに対応するセル伝送信号の信号強度及び／又は信号品質を含み、又は、前記測定結果は前記少なくとも１つのビームの信号強度及び／又は信号品質のソート結果を含む。
【００２４】
第２態様又は上記可能な実施形態のいずれかによれば、第２態様の可能な実施形態では、前記測定結果はビームが属するビーム群又はビームに対応するセルの中の伝送信号の信号強度及び／又は信号品質が最も良いビーム群の識別子又はセルの識別子を含み、又は、前記測定結果はビームが属するビーム群又はビームに対応するセルの中の伝送信号の平均信号強度及び／又は平均信号品質を含む。
【００２５】
第３態様によれば、端末を提供し、受信モジュール、処理モジュール及び受信モジュールを備え、上記態様に係る端末の対応する機能を実現することに用いられる。各モジュールの機能はハードウェアによって実現されてもよく、ハードウェアで対応するソフトウェアを実行することによって実現されてもよい。ハードウェア又はソフトウェアは上記機能に対応する１つ又は複数のモジュールを備える。
【００２６】
第４態様によれば、端末を提供し、プロセッサ、送受信機及びメモリを備え、上記態様に係る端末の対応する機能を実現することに用いられる。各デバイスの機能はハードウェアによって実現されてもよく、ハードウェアで対応するソフトウェアを実行することによって実現されてもよい。
【００２７】
第５態様によれば、ネットワーク装置を提供し、送信モジュール及び受信モジュールを備え、上記態様に係るネットワーク装置の対応する機能を実現することに用いられる。各モジュールの機能はハードウェアによって実現されてもよく、ハードウェアで対応するソフトウェアを実行することによって実現されてもよい。ハードウェア又はソフトウェアは上記機能に対応する１つ又は複数のモジュールを備える。ネットワーク装置は、対応する実施形態の機能を実現するための処理モジュールをさらに備えてもよい。
【００２８】
第６態様によれば、ネットワーク装置を提供し、プロセッサ、送受信機及びメモリを備え、上記態様に係る端末の対応する機能を実現することに用いられる。各デバイスの機能はハードウェアによって実現されてもよく、ハードウェアで対応するソフトウェアを実行することによって実現されてもよい。
【００２９】
第７態様によれば、コンピュータ可読記憶媒体を提供し、前記コンピュータ可読記憶媒体はビーム測定方法のプログラムコードを記憶し、前記プログラムコードは第１態様に係る方法の命令を実行することに用いられる。
【００３０】
第８態様によれば、コンピュータ可読記憶媒体を提供し、前記コンピュータ可読記憶媒体はビーム測定方法のプログラムコードを記憶し、前記プログラムコードは第２態様に係る方法の命令を実行することに用いられる。
【図面の簡単な説明】
【００３１】
【図１】図１は本発明の実施例に係るビーム測定方法の一応用シナリオの概略図である。
【図２】図２は本発明の実施例に係るビーム測定方法の別の応用シナリオの概略図である。
【図３】図３は本発明の一実施例に係るビーム測定方法の概略フローチャートである。
【図４】図４は本発明の一実施例に係る測定モードの概略図である。
【図５】図５は本発明の別の実施例に係る測定モードの概略図である。
【図６】図６は本発明のさらに別の実施例に係る測定モードの概略図である。
【図７】図７は本発明の別の実施例に係るビーム測定方法の概略フローチャートである。
【図８】図８は本発明の一実施例に係る端末の概略ブロック図である。
【図９】図９は本発明の別の実施例に係る端末の概略ブロック図である。
【図１０】図１０は本発明の一実施例に係るネットワーク装置の概略ブロック図である。
【図１１】図１１は本発明の別の実施例に係るネットワーク装置の概略ブロック図である。
【発明を実施するための形態】
【００３２】
本発明の実施例の技術案をより明確に説明するために、以下、実施例又は従来技術説明に必要な図面を簡単に説明し、明らかなように、後述する図面は本発明のいくつかの実施例に過ぎず、当業者は進歩性のある努力をせずに、これらの図面に基づきほかの図面を想到し得る。
【００３３】
以下、本発明の実施例の図面を参照して、本発明の実施例の技術案を明確かつ完全に説明し、明らかなように、後述する実施例は本発明の一部の実施例であり、すべての実施例ではない。本発明の実施例に基づき、当業者が進歩性のある努力をせずに想到し得るほかの実施例はすべて、本発明の保護範囲に属する。
【００３４】
なお、本発明の実施例の技術案は、たとえば、移動体通信用グローバルシステム（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ）システム、符号分割多元接続（Ｃｏｄｅ  Ｄｉｖｉｓｉｏｎ  Ｍｕｌｔｉｐｌｅ  Ａｃｃｅｓｓ、ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ  Ｗｉｒｅｌｅｓｓ、ＷＣＤＭＡ）システム、汎用パケット無線サービス（Ｇｅｎｅｒａｌ  Ｐａｃｋｅｔ  Ｒａｄｉｏ  Ｓｅｒｖｉｃｅ、ＧＰＲＳ）システム、ロングタームエボリューション（Ｌｏｎｇ  Ｔｅｒｍ  Ｅｖｏｌｕｔｉｏｎ、ＬＴＥ）システム、無線ローカルエリアネットワーク（Ｗｉｒｅｌｅｓｓ  Ｌｏｃａｌ  Ａｒｅａ  Ｎｅｔｗｏｒｋｓ、ＷＬＡＮ）システム、公衆陸上移動体ネットワーク（Ｐｕｂｌｉｃ  Ｌａｎｄ  Ｍｏｂｉｌｅ  Ｎｅｔｗｏｒｋ、ＰＬＭＮ）システム、及び５Ｇニューラジオ（Ｎｅｗ  Ｒａｄｉｏ、ＮＲ）システム等の種々の通信システムに適用できる。
【００３５】
さらに、なお、端末（Ｔｅｒｍｉｎａｌ）は端末装置又はユーザー装置（Ｕｓｅｒ  Ｅｑｕｉｐｍｅｎｔ、ＵＥ）とも呼称され、モバイル端末（Ｍｏｂｉｌｅ  Ｔｅｒｍｉｎａｌ）、モバイル装置等と呼称され、無線アクセスネットワーク（たとえば、Ｒａｄｉｏ  Ａｃｃｅｓｓ  Ｎｅｔｗｏｒｋ、ＲＡＮ）を介して１つ又は複数のコアネットワークと通信可能であり、ユーザー装置は、携帯電話（又は、「セルラー」電話と呼称される）、及びモバイル端末機能を有するコンピュータのようなモバイル端末であってもよく、たとえば、携帯型、ポケット型、手持ち式、コンピュータに内蔵された又は車載されたモバイル装置であってもよく、無線アクセスネットワークと言語及び／又はデータを交換する。
【００３６】
さらになお、ネットワーク装置は端末と通信するための装置であってもよく、ネットワーク装置はＷＬＡＮシステムのアクセスポイント（Ａｃｃｅｓｓ  Ｐｏｉｎｔ、ＡＰ）、ＧＳＭシステム又はＣＤＭＡシステムの基地局（Ｂａｓｅ  Ｔｒａｎｓｃｅｉｖｅｒ  Ｓｔａｔｉｏｎ、ＢＴＳ）であってもよく、ＷＣＤＭＡシステムの基地局（Ｎｏｄｅ  Ｂ、ＮＢ）であってもよく、ＬＴＥシステムの進化型基地局（Ｅｖｏｌｕｔｉｏｎａｌ  Ｎｏｄｅ  Ｂ、ｅＮＢ又はｅＮｏｄｅＢ）、又は中継局又はアクセスポイント、又は車載装置、ウェアラブル装置及び将来の５Ｇネットワークシステムのネットワーク装置又は将来の進化型ＰＬＭＮシステムのネットワーク装置等であってもよい。
【００３７】
また、本発明の実施例に係るセルは、従来のセルラーネットワークのセルの概念であってもよく、アクセスポイント、伝送ポイント又は基地局に基づく概念であってもよく、本発明の実施例では、それを限定しない。
【００３８】
理解しやすくするために、まず、本発明の実施例に係るビーム測定方法の応用シナリオを説明する。
【００３９】
図１は本発明の実施例に係るビーム測定方法の一応用シナリオの概略図である。図１に示される応用シナリオからわかるように、１つのセルに、制御チャネルがシグナリングを伝送するための１つのビーム（図１中、図示せず）が存在してもよく、データチャネルがデータを伝送するための複数のビーム（図１中のビーム１とビーム２を参照）が存在してもよく、つまり、該セルにおいて、制御チャネルがシグナリングを伝送するための１つの「ワイドビーム」でセル全体をカバレッジしてもよく、データチャネルがシグナリングを伝送するための複数の「ナロービーム」でセル全体をカバレッジしてもよい。
【００４０】
図２は本発明の実施例に係るビーム測定方法の別の応用シナリオの概略図である。図２に示される応用シナリオからわかるように、１つのセルに、制御チャネルが制御シグナリングを伝送するための複数の「ナロービーム」（図２に示されるビーム１とビーム２を参照）が存在してもよく、該セルにデータチャネルがデータを伝送するための複数の「ナロービーム」（図２に示されるビーム３とビーム４を参照）がさらに存在してもよい。端末１はビーム２によってネットワーク装置と制御シグナリングの交換を行い、端末１はビーム３によってネットワーク装置とデータを伝送し、端末２はビーム１によってネットワーク装置と制御シグナリングの交換を行い、端末２はビーム４によってネットワーク装置とデータを伝送するようにしてもよい。つまり、端末は制御チャネルが制御シグナリングを伝送するための「ナロービーム」によってネットワーク装置とシグナリング交換を行ってもよい。該端末はさらに、データチャネルがデータを伝送するための「ナロービーム」によってネットワーク装置とデータ伝送を行ってもよい。ここで、端末とネットワーク装置の間で制御チャネルが制御シグナリングを伝送するためのビームは、端末とネットワーク装置の間でデータチャネルがデータを伝送するためのビームと同じであってもよく、異なってもよく、なお、図２では、端末とネットワーク装置の間で制御チャネルが制御シグナリングを伝送するためのビームが、端末とネットワーク装置の間でデータチャネルがデータを伝送するビームと異なることだけを例に説明する。
【００４１】
なお、「ワイドビーム」よりも高い「ナロービーム」のフォーミングゲインによって、端末とネットワーク装置の間で伝送される信号の信号品質及び／又は信号強度を向上させることができる。
【００４２】
図３は本発明の一実施例に係るビーム測定方法３００の概略フローチャートであり、該方法３００は端末によって実行される。なお、該端末は接続状態にある端末であってもよく、すなわち、該端末とネットワーク側装置の間に非アクセス層（Ｎｏｎ−ａｃｃｅｓｓ  ｓｔｒａｔｕｍ、ＮＡＳ）又はアクセス層（Ａｃｃｅｓｓ  Ｓｔｒａｔｕｍ、ＡＳ）シグナリング接続が確立されている。該方法３００はステップＳ３１０〜Ｓ３３０を含む。
【００４３】
Ｓ３１０において、端末は、ネットワーク装置から送信される測定設定情報であって、少なくとも１つのビームを測定する時に使用されるパラメータを指示するための測定設定情報を受信する。
【００４４】
具体的には、該測定設定情報はビームの識別子（例えば、ビームのインデックス）、ビームが属するビーム群の識別子、ビームに対応するセルの識別子、ビームに対応するアクセスポイントの識別子、ビームに対応する基地局の識別子、測定頻度、測定周期、測定時間長、測定モード、ビームフォーミングのリソース割当パラメータ及びビームに対応する基準信号の情報のうちの少なくとも１種を含んでもよい。
【００４５】
ビームに対応する基準信号の情報は、ビームに対応する非端末固有基準信号（ｎｏｎ−ＵＥ  ｓｐｅｃｉｆｉｃ  ｒｅｆｅｒｅｎｃｅ  ｓｉｇｎａｌ）（例えば、単側波帯変調（ＳＳＢ）信号）及び／又はビームに対応する端末固有基準信号（ＵＥ  ｓｐｅｃｉｆｉｃ  ｒｅｆｅｒｅｎｃｅ  ｓｉｇｎａｌ）（例えば、チャネル状態情報基準信号（ＣＳＩ−ＲＳ））を含んでもよい。
【００４６】
測定設定情報中の情報は、たとえば、ビームの識別子、ビーム群の識別子、ビームフォーミングのリソース割当パラメータ（たとえば、ビームを送信する時間周波数リソース又はアンテナポート等）、ビームに対応するｎｏｎ−ＵＥ  ｓｐｅｃｉｆｉｃ  ｒｅｆｅｒｅｎｃｅ  ｓｉｇｎａｌ及びビームに対応するＵＥ  ｓｐｅｃｉｆｉｃ  ｒｅｆｅｒｅｎｃｅ  ｓｉｇｎａｌなどビーム自体に関連したものであってもよく、たとえば、セルの識別子、アクセスポイントの識別子、基地局の識別子、測定頻度、測定周期、測定時間長及び測定モードなどビーム自体に無関係なものであってもよい。
【００４７】
なお、ビーム、ビーム群、セル、アクセスポイント及び基地局は異なるレベルに基づき説明される。たとえば、測定設定情報が１つ又は複数のビームに適用できるパラメータである場合、測定設定情報中の識別子が該１つ又は複数のビームの識別子である。また、たとえば、測定設定情報が１つ又は複数のセル中のすべてのビームに適用できるパラメータである場合、測定設定情報中の識別子が該１つ又は複数のセルの識別子である。同様に、測定設定情報がビーム群（たとえば、１つのセル中のビームは１つ又は複数のビーム群に分割できる）、アクセスポイント又は基地局のレベルに関するものであってもよく、この場合、測定設定情報中の識別子が１つ又は複数のビーム群の識別子、１つ又は複数のアクセスポイントの識別子や１つ又は複数の基地局の識別子などであり、本発明の実施例ではそれを限定しない。
【００４８】
上記例示した測定設定情報中の情報はすべて必要というわけではなく、その一部がプロトコルによって指定されてもよくほかのシグナリングによって交換されてもよい。たとえば、測定設定情報が複数のビームに適用できる場合、測定時間長とビームの連続走査時間長が関連するため、１つのシステムにおける各ビームの測定時間長が同じである可能性があり、従って、測定時間長をプロトコルで指定したりデフォルト値としたりすることができ、それにより測定設定情報は測定時間長を含まなくてもよい。また、たとえば、測定モードの情報が測定時間長の情報及び／又は測定周期の情報を含む場合、測定設定情報は測定時間長及び／又は測定周期を含まなくてもよい。また、たとえば、測定頻度と測定周期が所定の数学関係を有する場合、測定設定情報は測定頻度及び測定周期のうちの一方のみを含んでもよい。測定設定情報中の情報について、ここでは逐一説明しない。
【００４９】
なお、測定設定情報中の情報は情報自体であってもよく、情報コンテンツを指示できるインデックス又は番号（例えば、ビットマップ）等であってもよいが、本発明の実施例ではそれを限定しない。
【００５０】
Ｓ３２０において、該端末は該測定設定情報に基づき該少なくとも１つのビームを測定し、測定結果を取得する。
【００５１】
具体的には、上記少なくとも１つのビームは、制御チャネルがシグナリングを伝送するためのビーム、及び／又はデータチャネルがデータを伝送するためのビームであってもよい。上記制御チャネルがシグナリングを伝送するためのビームはデータチャネルがデータを伝送するためのビームと同じビームであってもよく、上記制御チャネルがシグナリングを伝送するためのビームはデータチャネルがデータを伝送するためのビームと異なるビームであってもよい。
【００５２】
測定設定情報が１つ又は複数のビームに適用できるパラメータであることを例に、上記少なくとも１つのビームは１つの測定設定情報に対応してもよく、たとえば、端末によって測定される少なくとも１つのビームがビーム１、ビーム２及びビーム３を含み、該ビーム１、ビーム２及びビーム３は１つの測定設定情報に対応し、つまり、該測定設定情報はビーム１のビームＩＤ、ビーム２のビームＩＤ及びビーム３のビームＩＤを含み、測定設定情報が少なくとも１つの測定設定情報である場合、上記少なくとも１つのビームと少なくとも１つの測定設定情報が一対一対応関係を有し、つまり、各測定設定情報が１つの測定対象ビームのビームＩＤを含む。測定設定情報が１つ又は複数のセル、ビーム群、基地局又はアクセスポイントに適用できる場合は、測定設定情報が１つ又は複数のビームに適用できる場合と類似するため、ここで詳細説明を省略する。
【００５３】
好ましくは、上記少なくとも１つのビームは同一セルに属する。たとえば、少なくとも１つのビームが複数のビームを含む場合、複数のビームは１つのビーム群であり、該ビーム群のビームは１つのセルのビーム又は同一セルの一部のビームである。
【００５４】
好ましくは、上記少なくとも１つのビームはそれぞれ異なるセルに属する。たとえば、少なくとも１つのビームが複数のビームを含む場合、該少なくとも１つのビームのうち一部のビームは１つのセル（たとえば、第１セル）に属し、該少なくとも１つのビームのうち第１セルに属するビームを除くビームは別のセル（たとえば、第２セル）に属する。第１セルは第２セルと隣接するセルであってもよい。
【００５５】
本発明の実施例では、少なくとも１つのビームがそれぞれ異なるセルに属し、特にサービスセル及びサービスセルと隣接するセルに属する場合、隣接するセルのビームを予め測定することで、端末の移動性に参考と保障を提供できる。
【００５６】
好ましくは、上記少なくとも１つのビームは端末のサービスセル中のビーム及びサービスセルと隣接するセルのビームを含む。
【００５７】
本発明の実施例では、好ましくは、該測定結果は該少なくとも１つのビーム中の各ビーム伝送信号の信号強度及び／又は信号品質を含み、又は、該測定結果はビームが属するビーム群伝送信号の信号強度及び／又は信号品質を含み、又は、該測定結果はビームに対応するセル伝送信号の信号強度及び／又は信号品質を含み、又は、該測定結果は該少なくとも１つのビームの信号強度及び／又は信号品質のソート結果を含む。
【００５８】
具体的には、ビームが属するビーム群伝送信号の信号強度及び／又は信号品質は、ビーム群中の伝送信号の信号強度及び／又は信号品質が最も良いビームの信号強度及び／又は信号品質、又はビーム群中のすべてのビームの伝送信号の平均強度（又は加重平均強度）及び／又は信号平均品質（又は加重平均品質）等であってもよい。ビームに対応するセル伝送信号の信号強度及び／又は信号品質は、セルの中の伝送信号の信号強度及び／又は信号品質が最も良いビームの信号強度及び／又は信号品質、又はセル中のすべてのビームの伝送信号の平均強度（又は加重平均強度）及び／又は信号平均品質（又は加重平均品質）等であってもよい。少なくとも１つのビームの信号強度及び／又は信号品質のソート結果は、信号強度及び／又は信号品質の順に応じた少なくとも１つのビームのインデックスのソートであってもよい。
【００５９】
好ましくは、該測定結果はビームが属するビーム群又はビームに対応するセルの中の伝送信号の信号強度及び／又は信号品質が最も良いビーム群の識別子又はセルの識別子を含み、又は該測定結果はビームが属するビーム群又はビームに対応するセルの中の伝送信号の平均信号強度及び／又は平均信号品質を含む。
【００６０】
具体的には、測定結果は信号強度及び／又は信号品質を比較又は計算した後の情報を含んでもよい。たとえば、上記少なくとも１つのビームがそれぞれ複数のビーム群又は複数のセルに属する場合、先ず、複数のビーム群又は複数のセルの中の伝送信号の信号強度及び／又は信号品質を計算し、伝送信号の信号強度及び／又は信号品質が最も良いビーム群及び／又はセルを選択し、ビーム群の識別子又はセルの識別子を測定結果とする。
【００６１】
Ｓ３３０において、該端末は該測定結果を該ネットワーク装置に送信する。
【００６２】
本発明の実施例に係るビーム測定方法によれば、端末はネットワーク装置から送信される測定設定情報を受信し、該測定設定情報に基づきビームを測定し、ビームに基づくより高精度の測定結果を取得し、ネットワーク装置が測定結果に基づき端末をより効率的に設定することに寄与する。
【００６３】
好ましくは、Ｓ３３０の後、該方法３００は、該端末は、該ネットワーク装置から送信される確定結果であって、該ネットワーク装置が該測定結果に基づき確定したターゲットビーム、ターゲットビーム群及びターゲットセルのうちの少なくとも１種を含む確定結果を受信し、該ターゲットビームは該端末が滞在可能なビーム、該ターゲットビーム群は該端末が滞在可能なビーム群、該ターゲットセルは該端末が滞在可能なセルであるステップを含む。ネットワーク装置が確定結果を取得する具体的なプロセスは後述する方法４００において詳細に説明される。
【００６４】
以下、本発明の実施例に係る測定モードを詳細に説明する。該測定モードの情報は測定時間長の情報及び／又は測定周期の情報を含んでもよい。なお、測定モードは測定時間長及び測定周期を含むべきである。その一部のコンテンツはプロトコルによって指定されてもよくほかのシグナリングによって交換されてもよい。
【００６５】
好ましくは、該少なくとも１つのビームが１つ又は複数のセルに属する場合、該測定時間長は該１つ又は複数のセル中のすべてのビームを測定することに対応する時間長であり、該測定時間長と該測定周期は該ネットワーク装置が該１つ又は複数のセル中の各ビームの走査周期及び／又は各ビームの連続走査時間長に基づいて確定される。
【００６６】
具体的には、図４は本発明の一実施例に係る測定モードの概略図である。図４に１つのセルが示されており、該セルはビーム１、ビーム２、ビーム３及びビーム４の４つのビームを含み、各ビームを測定する時に使用される基準信号の位置は図示される通りである。測定時間長は該セル中の４つのビームを測定することに対応する時間長であり、測定周期は今回の測定開始から次回の測定開始（又は今回の測定終了から次回の測定終了）までの時間長であり、両方はいずれかのビームの走査周期及び／又は連続走査時間長に基づいて確定される。
【００６７】
なお、測定対象の少なくとも１つのビームがそれぞれ複数のセルに属し、複数のセルのビームの基準信号の位置が１回の測定中にすべてのビームの測定に適用できる（たとえば、すべてのビームの基準信号の位置が所定の領域に集中する）場合でも、本実施例の測定モードを採用でき、本発明の実施例ではそれを限定しない。
【００６８】
好ましくは、少なくとも１つのビームが１つ又は複数のセルに属する場合、該測定時間長は該１つ又は複数のセル中の１つのビームを測定することに対応する時間長であり、該測定時間長と該測定周期は該ネットワーク装置によって、該１つ又は複数のセル中の各ビームの走査周期及び／又は各ビームの連続走査時間長に基づいて確定される。
【００６９】
本発明の実施例では、端末は集中した期間内にすべてのビームを測定し、ほかの期間にデータ又は制御シグナリングの伝送を行うことで、端末は測定状態と通常動作状態を頻繁に切り替えることを回避できる。
【００７０】
具体的には、図５は本発明の別の実施例に係る測定モードの概略図である。図５に１つのセルが示されており、該セルはビーム１、ビーム２、ビーム３及びビーム４の４つのビームを含み、各ビームを測定する時に使用される基準信号の位置は図示される通りである。測定時間長は該セル中の１つのビーム（たとえば、ビーム１）を測定することに対応する時間長であり、測定周期は本ビームの測定開始から次ビームの測定開始（又は本ビームの測定終了から次ビームの測定終了）までの時間長であり、両方はいずれかのビームの走査周期及び／又は連続走査時間長に基づいて確定される。
【００７１】
なお、測定対象の少なくとも１つのビームがそれぞれ複数のセルに属し、複数のセルのビームの基準信号の位置としてすべてのビームの基準信号の位置が均一に分布する場合でも、本実施例の測定モードを採用でき、本発明の実施例ではそれを限定しない。
【００７２】
本発明の実施例では、端末が１つのビームを測定した後、動作状態に切り替えてデータ又は制御シグナリングの伝送を行うことで、データ又は制御シグナリングの伝送の効率を向上させることができる。
【００７３】
好ましくは、少なくとも１つのビームが複数のビームを有し、複数のビームがそれぞれ複数のセルに属する場合、該測定モードの情報は複数組の測定時間長の情報及び／又は複数組の測定周期の情報を含み、該測定時間長と該測定周期は該ネットワーク装置によって、該複数のセルのうちの各セルの各ビームの走査周期及び／又は各ビームの連続走査時間長に基づいて確定される。
【００７４】
具体的には、図６は本発明のさらに別の実施例に係る測定モードの概略図である。図６に２つのセルが示されており、セル１はビーム１、ビーム２、ビーム３及びビーム４の４つビームを含み、セル２はビーム５を含み、各ビームを測定する時に使用される基準信号の位置は図示される通りである。測定時間長は、セル１中の２つのビーム（ビーム１とビーム）及びセル２のビーム５を測定することに対応する時間長である測定時間長１と、セル１のビーム３又はビーム４を測定することに対応する時間長である測定時間長２との２種類を含む。測定周期も、測定時間長１に対応する周期である測定周期１と、測定時間長２に対応する周期である測定周期２との２種類を含む。測定時間長と測定周期は該ネットワーク装置によって、該複数のセルのうちの各セルの各ビームの走査周期及び／又は各ビームの連続走査時間長に基づいて確定される。
【００７５】
なお、複数のセルのビームの基準信号の位置に応じて測定時間長と測定周期を柔軟に確定でき、本発明の実施例ではそれを限定しない。
【００７６】
好ましくは、一実施例として、方法３００は、前記端末は、ビーム測定後に薦める測定モードの情報を前記ネットワーク装置に報告するステップと、前記端末は、前記ネットワーク装置から送信される更新指示であって、更新後の測定モードの情報を使用してビーム測定を行うように前記端末に指示するための更新指示を受信するステップと、を含む。
【００７７】
具体的には、ネットワーク装置は各セルのビームの状況に応じて測定時間長及び／又は測定周期を端末に設定し、端末は対応した測定モード（たとえば、測定モード１）でビーム測定を行い、端末は複数のセルが異なるビーム送信モードを採用すると測定すると、フィードバックメカニズムによってサービスのネットワーク装置に新たな測定モード（たとえば、測定モード３）を薦め、ネットワーク装置はより最適化した測定モードを端末に設定し、それにより端末はより最適化した測定モードで測定を行う。
【００７８】
以上、図３〜図６を参照して端末の点から本発明の実施例に係るビーム測定方法を詳細に説明したが、以下、図７を参照してネットワーク装置の点から本発明の実施例に係るビーム測定方法を詳細に説明する。
【００７９】
図７は本発明の別の実施例に係るビーム測定方法７００の概略フローチャートである。方法７００はネットワーク装置によって実行され、ステップＳ７１０〜Ｓ７２０を含む。
【００８０】
Ｓ７１０において、ネットワーク装置は、少なくとも１つのビームを測定する時に使用されるパラメータを指示するための測定設定情報を端末に送信する。
【００８１】
Ｓ７２０において、該ネットワーク装置は、該端末から送信される測定結果であって、該測定設定情報に基づき該少なくとも１つのビームを測定することで得られる測定結果を受信する。
【００８２】
本発明の実施例に係るビーム測定方法によれば、ネットワーク装置は測定設定情報を端末に送信することで、端末は該測定設定情報に基づきビームを測定し、ビームに基づくより高精度の測定結果を取得し、ネットワーク装置が測定結果に基づき端末をより効率的に設定することに寄与する。
【００８３】
好ましくは、一実施例として、方法７００は、該ネットワーク装置は、該測定結果に基づきターゲットビーム、ターゲットビーム群及びターゲットセルのうちの少なくとも１種を確定し、該ターゲットビームは該端末が滞在可能なビーム、該ターゲットビーム群は該端末が滞在可能なビーム群、該ターゲットセルは該端末が滞在可能なセルであるステップと、該ネットワーク装置は、ターゲットビーム、ターゲットビーム群及びターゲットセルのうちの少なくとも１種を含む確定結果を該端末に送信するステップと、をさらに含む。
【００８４】
具体的には、ネットワーク装置は測定結果中の少なくとも１つのビームの各ビーム伝送信号の信号強度及び／又は信号品質に基づき、少なくとも１つのビームのうち伝送信号の信号強度及び／又は信号品質が最も良いビームを確定し、伝送信号の信号強度及び／又は信号品質が最も良いビームを前記ターゲットビームとする。又は、ネットワーク装置は信号強度及び／又は信号品質が信号強度閾値及び／又は信号品質閾値よりも高いビームをターゲットビームとする。又は、ネットワーク装置は信号強度及び／又は信号品質が信号強度閾値及び／又は信号品質閾値よりも高い１組のビームをターゲットビーム群とする。又は、ネットワーク装置は複数のセルのうち信号強度及び／又は信号品質が信号強度閾値及び／又は信号品質閾値よりも高いビームが最も多いセルをターゲットセルとするなどのようにしてもよい。
【００８５】
なお、上記信号強度閾値及び／又は信号品質閾値は予め設定されてもよく、ネットワーク管理者によってネットワークインタフェースを介して入力されてもよく、ほかの方式によって指定されてもよく、本発明の実施例ではそれを限定しない。
【００８６】
好ましくは、ネットワーク装置は測定結果中の少なくとも１つのビーム伝送信号の信号強度及び／又は信号品質に基づき、セル集合又はビーム集合を確定し、さらにセル優先度に基づきセル集合から前記ターゲットセルを確定し、又はビーム優先度に基づきビーム集合からターゲットビーム及び／又はターゲットビーム群を確定する。
【００８７】
好ましくは、ネットワーク装置は測定結果中のビーム群伝送信号の信号強度及び／又は信号品質に基づき、ターゲットビーム群を確定する。又は、ネットワーク装置は測定結果中のセル伝送信号の信号強度及び／又は信号品質に基づき、ターゲットセルを確定する。
【００８８】
好ましくは、ネットワーク装置は測定結果中の少なくとも１つのビームの信号強度及び／又は信号品質のソート結果に基づき、１つ又は複数のビームをターゲットビームとして確定し、複数のビームを確定する場合、複数のビームを１つのビーム群としてもよい。又は、ビームの信号強度及び／又は信号品質のソートに応じて、信号強度及び／又は信号品質が比較的高い１つ又は複数のセルを、ターゲットセルとして選択する。
【００８９】
ネットワーク装置が測定結果に基づきターゲットビーム、ターゲットビーム群及びターゲットセルのうちの少なくとも１種を確定する方式は各種のルールに従ってもよく、本発明の実施例ではそれを限定しない。
【００９０】
なお、ターゲットビーム、ターゲットビーム群それともターゲットセルを確定するかは必要に応じて決められる。且つ、一具体例では、ターゲットセル（たとえば、ターゲットセルは２つのビーム群を含み、２つのビーム群は計５つのビームを含む）が確定されると、２つのターゲットビーム群、及び５つのターゲットビームが同時に確定されることになる。
【００９１】
好ましくは、一実施例として、前記少なくとも１つのビームは同一セルに属する。
【００９２】
好ましくは、一実施例として、前記少なくとも１つのビームは複数のビームであり、前記複数のビームはそれぞれ複数のセルに属する。
【００９３】
好ましくは、一実施例として、前記測定設定情報はビームの識別子、ビームが属するビーム群の識別子、ビームに対応するセルの識別子、ビームに対応するアクセスポイントの識別子、ビームに対応する基地局の識別子、測定頻度、測定周期、測定時間長、測定モード、ビームフォーミングのリソース割当パラメータ、及びビームに対応する基準信号の情報のうちの少なくとも１種を含む。
【００９４】
好ましくは、一実施例として、前記方法７００は、前記ネットワーク装置は、前記端末が報告した前記端末がビーム測定後に薦める測定モードの情報を受信するステップと、前記ネットワーク装置は、更新後の測定モードの情報を使用してビーム測定を行うように前記端末に指示するための更新指示を前記端末に送信するステップと、をさらに含む。
【００９５】
好ましくは、一実施例として、前記測定設定情報は測定モードの情報を含み、前記測定モードの情報は測定時間長の情報及び／又は測定周期の情報を含み、前記少なくとも１つのビームは１つ又は複数のセルに属し、前記測定時間長は前記１つ又は複数のセル中のすべてのビームを測定することに対応する時間長であり、前記測定時間長と前記測定周期は前記ネットワーク装置によって前記１つ又は複数のセル中の各ビームの走査周期及び／又は各ビームの連続走査時間長に基づいて確定され、又は、前記少なくとも１つのビームは１つ又は複数のセルに属し、前記測定時間長は前記１つ又は複数のセル中の１つのビームを測定することに対応する時間長であり、前記測定時間長と前記測定周期は前記ネットワーク装置によって前記１つ又は複数のセル中の各ビームの走査周期及び／又は各ビームの連続走査時間長に基づいて確定され、又は、前記少なくとも１つのビームは複数のビームであり、前記複数のビームはそれぞれ複数のセルに属し、前記測定モードの情報は複数組の測定時間長の情報及び／又は複数組の測定周期の情報を含み、前記測定時間長と前記測定周期は前記ネットワーク装置によって、前記複数のセルのうちの各セルの各ビームの走査周期及び／又は各ビームの連続走査時間長に基づいて確定される。
【００９６】
好ましくは、一実施例として、前記測定結果は前記少なくとも１つのビーム中の各ビーム伝送信号の信号強度及び／又は信号品質を含み、又は、前記測定結果はビームが属するビーム群伝送信号の信号強度及び／又は信号品質を含み、又は、前記測定結果はビームに対応するセル伝送信号の信号強度及び／又は信号品質を含み、又は、前記測定結果は前記少なくとも１つのビームの信号強度及び／又は信号品質のソート結果を含む。
【００９７】
好ましくは、一実施例として、前記測定結果はビームが属するビーム群又はビームに対応するセルの中の伝送信号の信号強度及び／又は信号品質が最も良いビーム群の識別子又はセルの識別子を含み、又は、前記測定結果はビームが属するビーム群又はビームに対応するセルの中の伝送信号の平均信号強度及び／又は平均信号品質を含む。
【００９８】
以上、図１〜７を参照して本発明の実施例に係るビーム測定方法を詳細に説明したが、以下、図８〜１１を参照して本発明の実施例に係る端末及びネットワーク装置を説明する。
【００９９】
図８は本発明の実施例に係る端末の概略ブロック図である。図８に示される端末８００は受信モジュール８１０、処理モジュール８２０及び送信モジュール８３０を備える。
【０１００】
受信モジュール８１０は、ネットワーク装置から送信される測定設定情報であって、少なくとも１つのビームを測定する時に使用されるパラメータを指示するための測定設定情報を受信する。
【０１０１】
処理モジュール８２０は、前記受信モジュール８１０の受信した前記測定設定情報に基づき前記少なくとも１つのビームを測定し、測定結果を取得する。
【０１０２】
送信モジュール８３０は、前記処理モジュール８２０の取得した前記測定結果を前記ネットワーク装置に送信する。
【０１０３】
本発明の実施例に係る端末によれば、ネットワーク装置から送信される測定設定情報を受信し、該測定設定情報に基づきビームを測定し、ビームに基づくより高精度の測定結果を取得し、ネットワーク装置が測定結果に基づき端末をより効率的に設定することに寄与する。
【０１０４】
好ましくは、一実施例として、前記受信モジュール８１０はさらに、前記ネットワーク装置から送信される確定結果であって、前記ネットワーク装置が前記測定結果に基づき確定したターゲットビーム、ターゲットビーム群及びターゲットセルのうちの少なくとも１種を含む確定結果を受信し、前記ターゲットビームは前記端末が滞在可能なビームであり、前記ターゲットビーム群は前記端末が滞在可能なビーム群であり、前記ターゲットセルは前記端末が滞在可能なセルである。
【０１０５】
好ましくは、一実施例として、前記少なくとも１つのビームは同一セルに属する。
【０１０６】
好ましくは、一実施例として、前記少なくとも１つのビームは複数のビームであり、前記複数のビームはそれぞれ複数のセルに属する。
【０１０７】
好ましくは、一実施例として、前記測定設定情報はビームの識別子、ビームが属するビーム群の識別子、ビームに対応するセルの識別子、ビームに対応するアクセスポイントの識別子、ビームに対応する基地局の識別子、測定頻度、測定周期、測定時間長、測定モード、ビームフォーミングのリソース割当パラメータ、及びビームに対応する基準信号の情報のうちの少なくとも１種を含む。
【０１０８】
好ましくは、一実施例として、前記送信モジュール８３０はさらに、前記端末がビーム測定後に薦める測定モードの情報を前記ネットワーク装置に報告し、前記受信モジュール８１０はさらに、前記ネットワーク装置から送信される更新指示であって、更新後の測定モードの情報を使用してビーム測定を行うように前記端末に指示するための更新指示を受信する。
【０１０９】
好ましくは、一実施例として、前記測定設定情報は測定モードの情報を含み、前記測定モードの情報は測定時間長の情報及び／又は測定周期の情報を含み、前記少なくとも１つのビームは１つ又は複数のセルに属し、前記測定時間長は前記１つ又は複数のセル中のすべてのビームを測定することに対応する時間長であり、前記測定時間長と前記測定周期は前記ネットワーク装置によって前記１つ又は複数のセル中の各ビームの走査周期及び／又は各ビームの連続走査時間長に基づいて確定され、又は、前記少なくとも１つのビームは１つ又は複数のセルに属し、前記測定時間長は前記１つ又は複数のセル中の１つのビームを測定することに対応する時間長であり、前記測定時間長と前記測定周期は前記ネットワーク装置によって前記１つ又は複数のセル中の各ビームの走査周期及び／又は各ビームの連続走査時間長に基づいて確定され、又は、前記少なくとも１つのビームは複数のビームであり、前記複数のビームはそれぞれ複数のセルに属し、前記測定モードの情報は複数組の測定時間長の情報及び／又は複数組の測定周期の情報を含み、前記測定時間長と前記測定周期は前記ネットワーク装置によって、前記複数のセルのうちの各セルの各ビームの走査周期及び／又は各ビームの連続走査時間長に基づいて確定される。
【０１１０】
好ましくは、一実施例として、前記測定結果は前記少なくとも１つのビーム中の各ビーム伝送信号の信号強度及び／又は信号品質を含み、又は、前記測定結果はビームが属するビーム群伝送信号の信号強度及び／又は信号品質を含み、又は、前記測定結果はビームに対応するセル伝送信号の信号強度及び／又は信号品質を含み、又は、前記測定結果は前記少なくとも１つのビームの信号強度及び／又は信号品質のソート結果を含む。
【０１１１】
好ましくは、一実施例として、前記測定結果はビームが属するビーム群又はビームに対応するセルの中の伝送信号の信号強度及び／又は信号品質が最も良いビーム群の識別子又はセルの識別子を含み、又は、前記測定結果はビームが属するビーム群又はビームに対応するセルの中の伝送信号の平均信号強度及び／又は平均信号品質を含む。
【０１１２】
なお、本発明の実施例では、受信モジュール８１０と送信モジュール８３０は送受信機によって実現でき、処理モジュール８２０はプロセッサによって実現できる。図９に示すように、端末９００はプロセッサ９１０、送受信機９２０及びメモリ９３０を備える。メモリ９３０はプロセッサ９１０に実行されるコード等を記憶する。
【０１１３】
端末９００の各ユニットはバスシステム９４０によって結合され、バスシステム９４０はデータバスを除き、電源バス、制御バス及び状態信号バスをさらに含む。
【０１１４】
図９に示される端末９００又は図８に示される端末８００は上記図１〜図７の実施例によって実現される各プロセスを実現でき、重複を回避するために、ここでは詳細説明を省略する。
【０１１５】
なお、本発明の上記方法の実施例はプロセッサに適用でき、又はプロセッサによって実装できる。プロセッサは、集積回路チップであってもよく、信号処理能力を有する。実装中、上記方法の実施例の各ステップはプロセッサのハードウェアの集積論理回路又はソフトウェア形態の命令によって行われる。上記プロセッサとして、汎用プロセッサ、デジタル信号プロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）又はほかのプログラマブルロジックデバイス、ディスクリートゲート又はトランジスタロジックデバイス、ディスクリートハードウェアユニットが挙げられる。本発明の実施例に開示されている各方法、ステップ及び論理ブロック図を実装又は実行できる。汎用プロセッサはマイクロプロセッサ又は任意の公知のプロセッサ等である。本発明の実施例に開示されている方法のステップは直接ハードウェアデコードプロセッサによって実行されてもよく、デコードプロセッサのハードウェアとソフトウェアモジュールの組合せによって実行されてもよい。ソフトウェアモジュールはランダムアクセスメモリ、フラッシュメモリ、読み出し専用メモリ、プログラマブル読み出し専用メモリ又は電気的消去可能プログラマブルメモリ、レジスタなど本分野の成熟した記憶媒体に格納される。該記憶媒体はメモリに位置し、プロセッサはメモリにおける情報を読み取り、そのハードウェアと組み合わせて上記方法のステップを実行する。
【０１１６】
なお、本発明の実施例のメモリは揮発性メモリ又は不揮発性メモリであり、又は揮発性と不揮発性メモリの両方を含む。不揮発性メモリは、読み出し専用メモリ（Ｒｅａｄ−Ｏｎｌｙ  Ｍｅｍｏｒｙ、ＲＯＭ）、プログラマブル読み出し専用メモリ（Ｐｒｏｇｒａｍｍａｂｌｅ  ＲＯＭ、ＰＲＯＭ）、消去可能プログラマブル読み出し専用メモリ（Ｅｒａｓａｂｌｅ  ＰＲＯＭ、ＥＰＲＯＭ）、電気的消去可能プログラマブル読み出し専用メモリ（Ｅｌｅｃｔｒｉｃａｌｌｙ  ＥＰＲＯＭ、ＥＥＰＲＯＭ）又はフラッシュメモリが挙げられる。揮発性メモリは、ランダムアクセスメモリ（Ｒａｎｄｏｍ  Ａｃｃｅｓｓ  Ｍｅｍｏｒｙ、ＲＡＭ）が挙げられ、外部キャッシュとして使用できる。多くの形態のＲＡＭは利用可能であり、たとえばスタティックランダムアクセスメモリ（Ｓｔａｔｉｃ  ＲＡＭ、ＳＲＡＭ）、ダイナミックランダムアクセスメモリ（Ｄｙｎａｍｉｃ  ＲＡＭ、ＤＲＡＭ）、同期ダイナミックランダムアクセスメモリ（Ｓｙｎｃｈｒｏｎｏｕｓ  ＤＲＡＭ、ＳＤＲＡＭ）、ダブルデータレート同期ダイナミックランダムアクセスメモリ（Ｄｏｕｂｌｅ  Ｄａｔａ  Ｒａｔｅ  ＳＤＲＡＭ、ＤＤＲ  ＳＤＲＡＭ）、拡張同期ダイナミックランダムアクセスメモリ（Ｅｎｈａｎｃｅｄ  ＳＤＲＡＭ、ＥＳＤＲＡＭ）、シンクリンクダイナミックランダムアクセスメモリ（Ｓｙｎｃｈｌｉｎｋ  ＤＲＡＭ、ＳＬＤＲＡＭ）及びダイレクトラムバスランダムアクセスメモリ（Ｄｉｒｅｃｔ  Ｒａｍｂｕｓ  ＲＡＭ、ＤＲ  ＲＡＭ）が挙げられるが、それらに限定されない。なお、本明細書に説明されるシステム及び方法のメモリはこれら及びほかの任意の適切なタイプのメモリを含むが、それらに限定されない。
【０１１７】
図１０は本発明の実施例に係るネットワーク装置の概略ブロック図である。図１０に示されるネットワーク装置１０００は送信モジュール１０１０及び受信モジュール１０２０を備える。
【０１１８】
送信モジュール１０１０は、少なくとも１つのビームを測定する時に使用されるパラメータを指示するための測定設定情報を端末に送信する。
【０１１９】
受信モジュール１０２０は、前記端末から送信される測定結果であって、送信モジュール１０１０の送信した前記測定設定情報に基づき前記少なくとも１つのビームを測定することで得られる測定結果を受信する。
【０１２０】
本発明の実施例に係るネットワーク装置によれば、測定設定情報を端末に送信することで、端末が該測定設定情報に基づきビームを測定でき、ビームに基づくより高精度の測定結果を取得し、ネットワーク装置が測定結果に基づき端末をより効率的に設定することに寄与する。
【０１２１】
好ましくは、一実施例として、前記ネットワーク装置は、前記受信モジュール１０２０の受信した前記測定結果に基づきターゲットビーム、ターゲットビーム群及びターゲットセルのうちの少なくとも１種を確定する処理モジュール１０３０をさらに備え、前記ターゲットビームは前記端末が滞在可能なビームであり、前記ターゲットビーム群は前記端末が滞在可能なビーム群であり、前記ターゲットセルは前記端末が滞在可能なセルであり、前記送信モジュール１０１０はさらに、前記処理モジュール１０３０の取得した前記ターゲットビーム、前記ターゲットビーム群及び前記ターゲットセルのうちの少なくとも１種を含む確定結果を前記端末に送信する。
【０１２２】
好ましくは、一実施例として、前記少なくとも１つのビームは同一セルに属する。
【０１２３】
好ましくは、一実施例として、前記少なくとも１つのビームは複数のビームであり、前記複数のビームはそれぞれ複数のセルに属する。
【０１２４】
好ましくは、一実施例として、前記測定設定情報はビームの識別子、ビームが属するビーム群の識別子、ビームに対応するセルの識別子、ビームに対応するアクセスポイントの識別子、ビームに対応する基地局の識別子、測定頻度、測定周期、測定時間長、測定モード、ビームフォーミングのリソース割当パラメータ、及びビームに対応する基準信号の情報のうちの少なくとも１種を含む。
【０１２５】
好ましくは、一実施例として、前記受信モジュール１０２０はさらに、前記端末が報告した前記端末がビーム測定後に薦める測定モードの情報を受信し、前記送信モジュール１０１０はさらに、更新後の測定モードの情報を使用してビーム測定を行うように前記端末に指示するための更新指示を前記端末に送信する。
【０１２６】
好ましくは、一実施例として、前記測定設定情報は測定モードの情報を含み、前記測定モードの情報は測定時間長の情報及び／又は測定周期の情報を含み、前記少なくとも１つのビームは１つ又は複数のセルに属し、前記測定時間長は前記１つ又は複数のセル中のすべてのビームを測定することに対応する時間長であり、前記測定時間長と前記測定周期は前記ネットワーク装置によって前記１つ又は複数のセル中の各ビームの走査周期及び／又は各ビームの連続走査時間長に基づいて確定され、又は、前記少なくとも１つのビームは１つ又は複数のセルに属し、前記測定時間長は前記１つ又は複数のセル中の１つのビームを測定することに対応する時間長であり、前記測定時間長と前記測定周期は前記ネットワーク装置によって前記１つ又は複数のセル中の各ビームの走査周期及び／又は各ビームの連続走査時間長に基づいて確定され、又は、前記少なくとも１つのビームは複数のビームであり、前記複数のビームはそれぞれ複数のセルに属し、前記測定モードの情報は複数組の測定時間長の情報及び／又は複数組の測定周期の情報を含み、前記測定時間長と前記測定周期は前記ネットワーク装置によって、前記複数のセルのうちの各セルの各ビームの走査周期及び／又は各ビームの連続走査時間長に基づいて確定される。
【０１２７】
好ましくは、一実施例として、前記測定結果は前記少なくとも１つのビーム中の各ビーム伝送信号の信号強度及び／又は信号品質を含み、又は、前記測定結果はビームが属するビーム群伝送信号の信号強度及び／又は信号品質を含み、又は、前記測定結果はビームに対応するセル伝送信号の信号強度及び／又は信号品質を含み、又は、前記測定結果は前記少なくとも１つのビームの信号強度及び／又は信号品質のソート結果を含む。
【０１２８】
好ましくは、一実施例として、前記測定結果はビームが属するビーム群又はビームに対応するセルの中の伝送信号の信号強度及び／又は信号品質が最も良いビーム群の識別子又はセルの識別子を含み、又は、前記測定結果はビームが属するビーム群又はビームに対応するセルの中の伝送信号の平均信号強度及び／又は平均信号品質を含む。
【０１２９】
なお、本発明の実施例では、送信モジュール１０１０と受信モジュール１０２０は送受信機によって実現でき、処理モジュール１０３０はプロセッサによって実現できる。図１１に示すように、ネットワーク装置１１００はプロセッサ１１１０、送受信機１１２０及びメモリ１１３０を備える。メモリ１１３０はプロセッサ１１１０に実行されるコード等を記憶する。
【０１３０】
ネットワーク装置１１００の各ユニットはバスシステム１１４０によって結合され、バスシステム１１４０はデータバスを除き、電源バス、制御バス及び状態信号バスをさらに含む。
【０１３１】
図１１に示されるネットワーク装置１１００又は図１０に示されるネットワーク装置１０００は上記図１〜図７の実施例によって実現される各プロセスを実現でき、重複を回避するために、ここでは詳細説明を省略する。
【０１３２】
なお、明細書を通して言及される「１つの実施例」又は「一実施例」は実施例に関する特定の特徴、構造又は特性が本発明の少なくとも１つの実施例に含まれることを意味する。従って、明細書を通して出現する「１つの実施例では」又は「一実施例では」は必ずしも同一実施例のことではない。また、これらの特定の特徴、構造又は特性は１つ又は複数の実施例に適宜結合できる。
【０１３３】
なお、本発明の各実施例では、上記各プロセスの番号は実行順序を示すものではなく、各プロセスの実行順序はその機能及び内部ロジックに応じて確定されるべきであり、本発明の実施例の実施プロセスを限定するものではない。
【０１３４】
なお、本発明の実施例では、「Ａに対応するＢ」はＢがＡに関連付けられ、Ａに応じてＢを確定できることを示す。なお、Ａに応じてＢを確定することは、Ａのみに応じてＢを確定するのではなく、Ａ及び／又はほかの情報に応じてＢを確定してもよい。
【０１３５】
なお、本明細書では、用語「及び／又は」は、関連対象の関連関係を説明するためのものであり、３種の関係が存在することを示し、たとえば、Ａ及び／又はＢは、Ａのみが存在する場合、ＡとＢが同時に存在する場合、Ｂのみが存在する場合を含む。また、本明細書では、文字「／」は、一般には、前後の関連対象が「又は」関係にあることを示す。
【０１３６】
当業者であれば、本明細書に開示されている実施例を参照して説明された各例のユニット及びアルゴリズムステップを、電子ハードウェア、又はコンピュータソフトウェアと電子ハードウェアとの組合せによって実現できると理解できる。これらの機能をハードウェアによって実行するかソフトウェアによって実行するかは、技術案の特定の応用及び設計制約条件に決められる。当業者は特定の応用ごとに、説明した機能を異なる方法で実現でき、且つこのような実装は本願の範囲に属する。
【０１３７】
当業者であれば、説明の便宜及び簡潔上、上記システム、装置及びユニットの具体的な動作プロセスについて、上記方法の実施例の対応するプロセスを参照すればよく、ここで重複説明を省略すると理解できる。
【０１３８】
本願に係るいくつかの実施例では、係るシステム、装置及び方法をほかの方式によって実現できると理解できる。たとえば、上記装置の実施例は例示的であり、たとえば、前記ユニットの分割は、単にロジック機能分割の１種であり、実際の実現時、別の分割方式を採用してもよく、たとえば複数のユニット又は要素が別のシステムに結合又は集積されたり、いくつかの特徴が無視され又は実行しなかったりする。また、表示又は検討された相互間の結合又は直接結合又は通信接続はいくつかのインタフェースを介してもよく、装置又はユニットの間接結合又は通信接続は、電気的、機械的又はほかの形態である。
【０１３９】
前記分離部材として説明されたユニットは物理的に分離したものであってもよく物理的に分離していないものであってもよく、ユニットとして表示される部材は物理ユニットであってもよく物理ユニットでなくてもよく、すなわち、１つの場所に位置してもよく、複数のネットワークユニットに分散してもよい。実際の必要に応じて、その一部又はすべてのユニットを選択して本実施例の技術案の目的を実現できる。
【０１４０】
また、本発明の各実施例の各機能ユニットは１つの処理ユニットに集積されてもよく、各ユニットは単独に物理的に存在してもよく、２つ又は２つ以上のユニットは１つのユニットに集積されてもよい。
【０１４１】
以上、本発明を実施するための形態を説明したが、本発明の保護範囲はそれに限定されない。当業者が本発明に開示されている技術範囲を逸脱せずに容易に想到し得る変更や置換はすべて本発明の保護範囲に属する。従って、本発明の保護範囲は特許請求の範囲の保護範囲に準じるべきである。
【図１】
0006949943.tif 000002
【図２】
0006949943.tif 000003
【図３】
0006949943.tif 000004
【図４】
0006949943.tif 000005
【図５】
0006949943.tif 000006
【図６】
0006949943.tif 000007
【図７】
0006949943.tif 000008
【図８】
0006949943.tif 000009
【図９】
0006949943.tif 000010
【図１０】
0006949943.tif 000011
【図１１】
0006949943.tif 000012